(57)【要約】【課題】本発明は、継手部材１０から継手部材２０側に延出した係合爪１の係合部２を継手部材２０に形成された被係合部２２に係合させて両継手部材１０，２０の接続を保持可能な係合手段Ａを備えた継手に対して用いられ、簡単且つ適切に係合手段の係合状態を解除して両継手部材１０，２０の接続を取り外すことができる継手取外し用治具３０を提供することを目的とする。【解決手段】係合爪１の係合部２よりも先端側に位置する被押圧部３と継手部材２０との間に圧入されることで、被押圧部３を径外方向に押圧して係合状態を解除する係合解除部３３と、係合解除部３３が被押圧部３と継手部材２０との間に圧入されるときに、継手部材２０の被摺接部２３に継手部材２０の基端側に向かって摺接して、係合解除部３３が継手部材２０の基端側へ移動することを阻止する位置保持部３４とを備える。【選択図】  図２
2004243456.tif 000002
【特許請求の範囲】
【請求項１】
互いに接続可能な第一継手部材及び第二継手部材を備え、前記第一継手部材から前記第二継手部材側に延出した係合爪の係合部を前記第二継手部材に形成された被係合部に係合させて前記両継手部材の接続を保持可能な係合手段を備えた継手に対して用いられ、前記係合手段の係合状態を解除して前記両継手部材の接続を取り外すための継手取外し用治具であって、
前記係合爪の前記係合部よりも先端側に位置する係合爪被押圧部と前記第二継手部材との間に圧入されることで、前記係合爪被押圧部を径外方向に押圧して前記係合状態を解除する係合解除部と、
前記係合解除部が前記係合爪被押圧部と前記第二継手部材との間に圧入されるときに、前記第二継手部材の被摺接部に前記第二継手部材の基端側に向かって摺接して、前記係合解除部が前記第二継手部材の基端側へ移動することを阻止する位置保持部とを備えた継手取外し用治具。
【請求項２】
前記係合解除部が、前記係合爪被押圧部と前記第二継手部材との間に圧入されるに従って、前記第二継手部材から径外方向に沿った高さを増すくさび状に形成されている請求項１に記載の継手取外し用治具。
【請求項３】
前記係合爪被押圧部が、前記第二継手部材の基端側に面する傾斜面を有する場合に、
前記係合解除部の最大高さが、前記係合状態を解除可能な最小高さを超える高さに設定されている請求項２に記載の継手取外し用治具。
【請求項４】
前記第二継手部材の外周に渡って形成された溝部の先端側側面が、前記被係合部として機能する場合に、
前記係合解除部及び前記位置保持部が前記溝部内に挿入されるくさび体で構成されている請求項１から３の何れか１項に記載の継手取外し用治具。
【請求項５】
前記第二継手部材の外周に渡って形成された突出部の基端側側面が、前記被係合部として機能する場合に、
前記係合解除部が、前記突出部の基端側側面に沿って挿入されるくさび体で構成され、前記位置保持部が、前記突出部の先端側側面に沿って挿入される位置保持体で構成されている請求項１から３の何れか１項に記載の継手取外し用治具。
【発明の詳細な説明】
【０００１】
【発明の属する技術分野】
本発明は、互いに接続可能な第一継手部材及び第二継手部材を備え、前記第一継手部材から前記第二継手部材側に延出した係合爪の係合部を前記第二継手部材に形成された被係合部に係合させて前記両継手部材の接続を保持可能な係合手段を備えた継手に対して用いられ、前記係合手段の係合状態を解除して前記両継手部材の接続を取り外すための継手取外し用治具に関する。
【０００２】
【従来の技術】
従来、２つの管材等を接続するための継手として、図７に示すように、互いに接続可能なプラグ部材１０とソケット部材２０との２つの継手部材を備え、プラグ部材１０に片持ち状態で固定されソケット部材２０側に延出する２つの係合爪１の係合部２を、ソケット部材２０に形成された被係合部２２に係合させて、前記プラグ部材１０と前記ソケット部材２０との接続状態を保持する係合手段Ａを備えた継手に対して用いられ、前記係合部２の前記被係合部２２に対する係合状態を解除してプラグ部材１０とソケット部材２０との接続を取り外すための継手取外し用治具１００が知られている（例えば、特許文献１参照。）。
【０００３】
かかる従来の継手取外し用治具１００は、把持本体１０１から延出形成され、上記夫々の係合爪１の前記係合部２よりも基端側（根元側）と前記プラグ部材１０との間に形成される２つの隙間に側方から圧入される一対のくさび体１０２を備えて構成されている。そして、このくさび体１０２を上記隙間に圧入することで、圧入されたくさび体１０２により係合爪１を径外方向にくさび作用で押圧し、両係合爪１を径外方向に弾性的に押し広げて、上記係合部２の被係合部２２に対する係合状態を解除することができ、プラグ部材１０とソケット部材２０との接続を取り外すことができる。
【０００４】
【特許文献１】
特開２０００−２４９５０号公報
【０００５】
【発明が解決しようとする課題】
上記特許文献１に開示されている従来の継手取外し治具１００によれば、係合爪１の係合部２よりも基端側と前記プラグ部材１０との間に形成された隙間に圧入されるくさび体１０２は、上記係合爪２において、係合爪２の弾性移動の支点となる根元に比較的近い場所を比較的大きい力で押圧して、両係合爪１を弾性的に押し広げる必要があるため、上記くさび体１０２を上記隙間に圧入するために、比較的大きい力が必要となる。
【０００６】
更に、従来の継手取外し治具１００は、プラグ部材１０とソケット部材２０との接続を取り外した後に、上記係合爪１とプラグ部材１０との間の隙間に圧入された状態で残存しており、その圧入された継手取外し治具１００をその隙間から比較的大きな力で引き抜く必要がある。
【０００７】
また、従来の継手取外し治具１００のくさび体１０２は、上記隙間に圧入されるに従ってプラグ部材１０から径外方向に沿った高さを増すくさび状に形成され、更に、上記くさび体１０２の最大高さ、即ちくさび体１０２の根元の高さが、上記係合部２の被係合部２２に対する係合状態を解除可能な高さ以上に設定されているので、そのくさび体１０２を上記隙間に必要以上に圧入すると、両係合爪１が必要以上に押し広げられて、上記係合爪１の塑性変形や割れ等の破損を招く恐れがある。
【０００８】
また、従来の継手取外し治具１００は、係合爪１の係合部２よりも基端側と前記プラグ部材１０との間に、適当な隙間が形成されない継手に対しては使用することができない。
【０００９】
従って、本発明は、上記の事情に鑑みて、簡単且つ適切に係合手段の係合状態を解除して両継手部材の接続を取り外すことができる継手取外し用治具を提供することを目的とする。
【００１０】
【課題を解決するための手段】
この目的を達成するための本発明に係る継手取外し用治具の第一特徴構成は、特許請求の範囲の欄の請求項１に記載した如く、前記係合爪の前記係合部よりも先端側に位置する係合爪被押圧部と前記第二継手部材との間に圧入されることで、前記係合爪被押圧部を径外方向に押圧して前記係合状態を解除する係合解除部と、
前記係合解除部が前記係合爪被押圧部と前記第二継手部材との間に圧入されるときに、前記第二継手部材の被摺接部に前記第二継手部材の基端側に向かって摺接して、前記係合解除部が前記第二継手部材の基端側へ移動することを阻止する位置保持部とを備えた点にある。
【００１１】
即ち、上記第一特徴構成の継手取外し用治具によれば、上記係合解除部を設けることで、係合爪の係合部よりも先端側に位置する係合爪被押圧部と第二継手部材との間に圧入されることで、係合爪の弾性移動の支点となる根元に比較的遠い係合爪被押圧部を比較的小さな力で押圧して、係合状態を解除することができ、係合解除部の圧入に必要な力を比較的小さいものとすることができる。
【００１２】
また、上記係合解除部を係合爪被押圧部と第二継手部材との間に圧入して上記係合状態を解除し、係合爪を有する第一継手部材を第二継手部材から取り外した後は、上記係合解除部を第二継手部材に押圧していた係合爪が係合解除部から取り除かれるので、上記係合解除部を第二継手部材から容易に取り除くことができる。
【００１３】
更に、上記位置保持手段を設けることで、係合爪被押圧部と第二継手部材との間に圧入される前記係合解除部が、係合爪被押圧部から離れて第二継手部材の基端側（第一継手部材と接続される側の反対側）に移動することを阻止することができ、上記係合解除部の上記係合爪被押圧部に対する当接状態を良好に維持して、上記係合手段の係合状態の解除することができる。
【００１４】
従って、本発明により、前述のように簡単且つ適切に係合手段の係合状態を解除して両継手部材の接続を取り外すことができる継手取外し用治具を提供することができる。
【００１５】
本発明に係る継手取外し用治具の第二特徴構成は、特許請求の範囲の欄の請求項２に記載した如く、上記第一特徴構成に加えて、前記係合解除部が、前記係合爪被押圧部と前記第二継手部材との間に圧入されるに従って、前記第二継手部材から径外方向に沿った高さを増すくさび状に形成されている点にある。
【００１６】
即ち、上記第二特徴構成の継手取外し用治具によれば、上記係合解除部を上記くさび状の簡単な形状に形成することで、くさび状の係合解除部を、係合爪被押圧部と第二継手部材との間に圧入して、所謂くさび作用により、上記係合爪被押圧部を径外方向に押圧し上記係合状態を容易に解除することができる。
【００１７】
本発明に係る継手取外し用治具の第三特徴構成は、特許請求の範囲の欄の請求項３に記載した如く、上記第二特徴構成に加えて、前記係合爪被押圧部が、前記第二継手部材の基端側に面する傾斜面を有する場合に、
前記係合解除部の最大高さが、前記係合状態を解除可能な最小高さを超える高さに設定されている点にある。
【００１８】
本発明の継手取外し用治具が用いられる継手は、第一継手部材に設けられている係合爪の係合爪被押圧部に、係合爪の先端側にいくに従って径外方向に傾斜する上記傾斜面が形成されている場合がある。即ち、この係合爪に形成された傾斜面は、第一継手部材と第二継手部材とが接続されるときに、上記第二継手部材の被係合部よりも先端側の突出部に摺接することで、上記係合爪を押し広げて、上記係合部を被係合部に係合させるためのものであり、このような傾斜面が設けられていることで、第一継手部材を第２継手部材に接続するときに、自動的に係合爪が押し広げられ、上記係合部を被係合部に容易に係合させることができる。
【００１９】
そして、上記第三特徴構成の継手取外し用治具によれば、このように継手の係合爪被押圧部に上記傾斜面が形成されている場合において、係合状態を解除可能な最小高さを超える最大高さを有する係合解除部を上記傾斜面と第二継手部材との間に圧入することで、上記係合爪被押圧部に形成された傾斜面を傾斜面の法線方向に沿って押圧して係合状態を解除することができると共に、その係合状態を解除した後に、更に上記傾斜面を上記法線方向に押圧して、係合爪が弾性的に係合解除部側に押し戻ろうとする力と共に、係合爪に対して、第一継手部材が第二継手部材から取り外れる方向に力を付与して、自動的に両継手部材の接続を適度に取り外すことができる。
【００２０】
本発明に係る継手取外し用治具の第四特徴構成は、特許請求の範囲の欄の請求項４に記載した如く、上記第一乃至第三特徴構成に加えて、前記第二継手部材の外周に渡って形成された溝部の先端側側面が、前記被係合部として機能する場合に、
前記係合解除部及び前記位置保持部が前記溝部内に挿入されるくさび体で構成されている点にある。
【００２１】
上記第二継手部材に被係合部を形成する場合に、上記第二継手部材の外周に渡って溝部を形成し、その溝部の先端側側面、即ち、第二継手部材の基端側に面する側面を被係合部として機能させることがある。
そして、上記第四特徴構成の継手取外し用治具によれば、上記のように第二継手部材の溝部の先端側側面を被係合部として機能させる場合に、上記係合解除部及び上記位置保持部を、上記第二継手部材に形成された溝部に側方から挿入されるくさび体で構成することにより、溝部に挿入された上記くさび体の一方側の側部により係合爪被押圧部を押圧して係合状態を解除すると共に、他方側の側部を溝部の基端側側面に摺接させて、くさび体が基端側への移動することを阻止することができる。
【００２２】
本発明に係る継手取外し用治具の第五特徴構成は、特許請求の範囲の欄の請求項５に記載した如く、上記第一乃至第三特徴構成に加えて、前記第二継手部材の外周に渡って形成された突出部の基端側側面が、前記被係合部として機能する場合に、
前記係合解除部が、前記突出部の基端側側面に沿って挿入されるくさび体で構成され、前記位置保持部が、前記突出部の先端側側面に沿って挿入される位置保持体で構成されている点にある。
【００２３】
上記第二継手部材に被係合部を形成する場合に、上記第二継手部材の外周に渡って突出部を形成し、その突出部の基端側側面、即ち、第二継手部材の基端側に面する側面を被係合部として機能させることがある。
そして、上記第五特徴構成の継手取外し用治具によれば、上記のように第二継手部材の突出部の基端側側面を被係合部として機能させる場合に、上記係合解除部を、上記突出部の基端側側面に沿って側方から挿入されるくさび体で構成すると共に、上記位置保持部を、上記くさび体と共に上記突出部を挟み込むように形成され、突出部の先端側側面に沿って側方から挿入される位置保持体で構成することで、上記くさび体により突出部の基端側側面に係合された係合爪被押圧部を押圧して係合状態を解除すると共に、上記位置保持体を突出部の先端側側面に摺接させて、くさび体が基端側への移動することを阻止することができる。
【００２４】
【発明の実施の形態】
〔第一実施形態〕
本発明に係る継手取外し用治具の第一実施形態について、図１〜図３に基づいて説明する。
【００２５】
図１（ａ），（ｂ）に示す継手は、互いに接続可能なプラグ部材（第一継手部材の一例）１０及びソケット部材（第二継手部材の一例）２０を備え、係合部２をソケット部材２０の被係合部２２に係合させて、プラグ部材１０とソケット部材２０との接続を保持可能な係合手段Ａを備えた所謂迅速継手である。
【００２６】
即ち、図１（ａ）に示すように、継手のプラグ部材１０には、床暖房用湯水用のホース等が差し込まれるホース差込部１９と、上記ソケット部材２０側に差し込まれて接続されるプラグ側接続部１８とが設けられていると共に、プラグ部材１０からソケット部材２０側に向かって延出する２つの係合爪１が上記プラグ側接続部１８を挟んで対向配置されている。
【００２７】
更に、夫々の係合爪１には、上記プラグ側接続部１８側（即ち、内側）に形成され上記プラグ部材１０の基端側（ソケット部材２０に接続される側とは反対側）に面する係合部２と、その係合部２よりも先端側の内側に形成され、プラグ部材１０の先端側にいくに従って径外方向に傾斜し、上記ソケット部材２０の基端側（プラグ部材１０と接続される側とは反対側）に面する傾斜面３とが夫々形成されている。
【００２８】
一方、継手のソケット部材２０には、同じくホース等が接続される接続部（図示せず）と、上記プラグ側接続部１８が内部に挿入されるソケット側接続部２８が設けられていると共に、上記プラグ部材１０から延出する係合爪１の係合部２が係合される被係合部２２が設けられている。
この被係合部２２は、上記係合部２がソケット部材２０の基端側から係合されるように、ソケット部材２０の基端側に面するものである。
【００２９】
そして、図１（ｂ）に示すように、プラグ側接続部１８をソケット側接続部２８に差し込むと、上記係合爪１の先端側に形成された傾斜面３がソケット部材２０の上記被係合部２２よりも先端側に形成された突出部２６に摺接しながら、上記係合爪１が押し広げられ、更に差し込んでいくと、上記係合部２が上記被係合部２２に到達して、夫々の係合爪１が内側に弾性的に移動して、上記係合部２が上記被係合部２２に係合され、上記プラグ部材１０とソケット部材２０との接続が保持される。即ち、上記係合部２及び被係合部２２が、プラグ部材１０とソケット部材２０との接続を保持するための係合手段Ａとして機能する。
【００３０】
そして、本発明に係る継手取外し用治具（以下、本治具と略称する。）３０は、上記のような継手に対して用いられ、係合手段Ａの係合状態を解除してプラグ部材１０とソケット部材２０との接続を取り外すためのものである。
【００３１】
詳しくは、図２（ａ），（ｂ）及び図３（ａ），（ｂ）も参照して、本治具３０は、作業員が把持しやすく且つ上記継手に対して側方から圧入するための力を付加しやすい直方体等の形状に形成された把持本体３１と、把持本体３１から延出する２つのくさび体３２とを備えた樹脂製の成型体で構成されている。
【００３２】
また、上記２つのくさび体３２は、互いにソケット部材２０の外形を挟み込むように平行配設され、図２（ｂ）に示すように、夫々が上記ソケット部材２０の外周に渡って形成された溝部２４内に挿入される。
また、上記くさび体３２は、その先端部から基端部にかけて上記ソケット部材２０側から径外方向に沿った高さを増すくさび状に形成されている。
【００３３】
そして、上記溝部２４に挿入されたくさび体３２の被係合部２２側が係合解除部３３として機能し、この係合解除部３３が、係合爪１の係合部２よりも先端側に位置する被押圧部としての傾斜面３とソケット部材２０との間に圧入されることで、所謂くさび作用で、傾斜面３を径外方向に押圧して、上記係合爪１を径外方向に押し広げて、上記係合手段Ａの係合状態を解除するように構成されている。
そして、くさび体３２の係合解除部３３により、係合爪１の弾性移動の支点となる根元に比較的遠い係合爪被押圧部である傾斜面３を比較的小さな力で押圧して、係合状態を解除することができ、係合解除部３３の圧入に必要な力を比較的小さいものとすることができる。
【００３４】
更に、上記溝部２４に挿入されたくさび体３２の上記係合解除部３３の反対側の側面が位置保持部３４として機能し、この位置保持部３３が、上記係合解除部３３が上記傾斜面３とソケット部材２０との間に圧入されるときに、上記溝部２４の側面である被摺接部２３にソケット部材２０の基端側に向かって摺接して、係合解除部３３即ち本治具３０自身がソケット部材２０の基端側へ移動することを阻止するように構成されている。
そして、くさび体３２の位置保持部３４により、係合解除部３３の傾斜面３に対する当接状態を良好に維持して、係合手段Ａの係合状態の解除することができる。
【００３５】
また、本治具３０は、上記ソケット部材２０の外周に形成された溝部２４にくさび体３２を挿入して上記係合手段Ａの係合状態を解除できるので、係合爪１を有するプラグ部材１０を上記くさび体３２が挿入される溝部２４を有するソケット部材２０から取り外した後は、くさび体３２をソケット部材２０側に押圧していた係合爪１がくさび体３２側から取り除かれるので、くさび体３２をソケット部材２０から容易に取り除くことができる。
【００３６】
さらに、上記係合解除部３３の径外方向に沿った最大高さｈが、上記係合手段Ａの係合状態を解除可能な最小高さを超えるものに設定されている。よって、係合爪１の傾斜面３とソケット部材２０との間に圧入された上記係合解除部３３は、傾斜面３の法線方向、即ち、上記径外方向よりも上記プラグ部材１０の基端側に傾斜する方向に沿って、上記傾斜面３を押圧して係合状態を解除した後に、上記傾斜面３を上記法線方向に一層押圧して、係合爪１が弾性的にソケット部材２０側即ち径内方向側に押し戻ろうとする力と共に、係合爪１に対してプラグ部材１０がソケット部材２０から取り外れる方向に力を付与することができ、自動的にプラグ部材１０とソケット部材２０との接続を適度に取り外すことができる。
【００３７】
〔第二実施形態〕
本発明に係る継手取外し用治具の第一実施形態について、図４〜図６に基づいて説明する。
【００３８】
図４（ａ），（ｂ）に示す継手は、上記第一実施形態で説明した継手と同様の構成についての説明は割愛するが、上記図１に示すように、ソケット部材２０の外側には、溝部２４が設けられておらず、上記ソケット部材２０の外周に渡って突出部２６のみが形成され、その突出部２６の基端側側面が被係合部２２として機能する。
【００３９】
かかる継手の係合手段Ａの係合状態を解除するための本治具４０は、図５（ａ），（ｂ）及び図６（ａ），（ｂ）も参照して、上記第一実施形態の本治具３０と同様の把持本体４１と、把持本体４１から延出する２つのくさび体４２と、更に、把持本体３１から延出する２つの位置保持体４５とを備えた樹脂製の成型体で構成されている。
【００４０】
上記２つのくさび体４２は、互いにソケット部材２０の外形を挟み込むように平行配設され、図５（ｂ）に示すように、夫々が上記ソケット部材２０の外周に渡って形成された突出部２６の基端側側面である被係合部２２に沿って挿入される。
また、上記くさび体４２は、その先端部から基端部にかけて上記ソケット部材２０側から径外方向に沿った高さを増すくさび状に形成されている。
【００４１】
上記位置保持体４５は、上記くさび体４２と同様に、互いにソケット部材２０の外形を挟み込むように平行配設され、夫々が上記ソケット部材２０の外周に渡って形成された突出部２６の先端側側面２５に沿って挿入される。
上記位置保持体４５は、剛性を増すために、その先端部から基端部にかけて上記ソケット部材２０側から径外方向に沿った高さを増すくさび状に形成されている。また、位置保持体４５の高さは、上記係合状態が解除された係合爪１の係合部２が上記位置保持部４５に引っかからないように、上記突出部２６の高さよりも低く設定されている。
【００４２】
そして、ソケット部材２０の突出部２６の基端側側面である被係合部２２に沿って挿入されたくさび体４２の被係合部２２側が係合解除部４３として機能し、この係合解除部４３が、係合爪１の係合部２よりも先端側に位置する傾斜面３とソケット部材２０との間に圧入されることで、所謂くさび作用で、傾斜面３を径外方向に押圧して、上記係合爪１を径外方向に押し広げ、上記係合手段Ａの係合状態を解除するように構成されている。
【００４３】
また、ソケット部材２０の突出部２６の先端側側面２５に沿って挿入された位置保持体４５の上記突出部２６側の側面が位置保持部４４として機能し、この位置保持部４４が、上記係合解除部４３が上記傾斜面３とソケット部材２０との間に圧入されるときに、上記突出部２６の被摺接部としての側面にソケット部材２０の基端側に向かって摺接して、係合解除部２２即ち本治具４０自身がソケット部材２０の基端側へ移動することを阻止するように構成されている。
【００４４】
また、上記くさび体４２の係合解除部４３の最大高さｈも、上記第一実施形態と同様に、上記係合手段Ａの係合状態を解除可能な最小高さを超えるものに設定されており、自動的にプラグ部材１０とソケット部材２０との接続を適度に取り外すことができる。
【００４５】
上記実施の形態において、係合解除部３３，４３を、くさび体３２，４２の角部として形成し、この係合解除部３３，４３により、係合爪被押圧部としての傾斜面３を押圧して、係合状態を解除すると共に、係合爪１に対してプラグ部材１０がソケット部材２０から取り外れる方向に力を付与して、プラグ部材１０とソケット部材２０との接続を適度に取り外すように構成したが、別に、例えば上記係合爪被押圧部が上記傾斜面３のような十分な傾斜を有さない場合において、上記係合解除部を上記プラグ部材１０の基端側に面する傾斜面とすることで、上記係合解除部の押圧力と、上記係合爪の押し戻ろうとする力とにより、係合爪１に対してプラグ部材１０がソケット部材２０から取り外れる方向に力を付与することもできる。
【００４６】
上記実施の形態では、ホースが接続されたプラグ部材をソケット部材に接続する継手について用いられる本治具の構成を説明したが、本治具は、その他の配管継手、又は、電線用継手等の、上記のような係合手段により係合状態とされる継手に用いられるものとして構成することできる。
【図面の簡単な説明】
【図１】第一実施形態の本治具が用いられる継手の非接続状態（ａ）及び接続状態（ｂ）を示す斜視図
【図２】第一実施形態の本治具による係合状態解除前（ａ）及び係合状態解除時（ｂ）を示す断面図
【図３】第一実施形態の本治具の立面（ａ）及び側面（ｂ）図
【図４】第二実施形態の本治具が用いられる継手の非接続状態（ａ）及び接続状態（ｂ）を示す斜視図
【図５】第二実施形態の本治具による係合状態解除前（ａ）及び係合状態解除時（ｂ）を示す断面図
【図６】第二実施形態の本治具の立面（ａ）及び側面（ｂ）図
【図７】従来の継手取外し治具を示す図
【符号の説明】
１：係合爪
２：係合部
２：係合部
３：傾斜面（被押圧部）
１０：プラグ部材（第一継手部材）
１８：接続部
２０：ソケット部材（第二継手部材）
２２：被係合部
２２：被係合部
２３：被摺接部
２６：突出部
２８：接続部
３０：継手取外し用治具
３１：把持本体
３２：くさび体
３３：係合解除部
３４：位置保持部
４０：継手取外し用治具
４１：把持本体
４２：くさび体
４３：係合解除部
４４：位置保持部
４５：位置保持体
Ａ：係合手段
【図１】
2004243456.tif 000003
【図２】
2004243456.tif 000004
【図３】
2004243456.tif 000005
【図４】
2004243456.tif 000006
【図５】
2004243456.tif 000007
【図６】
2004243456.tif 000008
【図７】
2004243456.tif 000009